(57)【特許請求の範囲】
【請求項１】
少なくとも１つの充填層と封入体底部に液体及び気体の混合物を供給する手段とを備える封入体であって、該封入体が前記混合物の液相及び気相を分離するシステムを備え、該システムが前記充填層と前記混合物供給手段との間に配置され、及び該システムが、脱気された液体用の流通手段と解放されたガス用の排出手段とを含むハウジングを備えており、前記脱気された液体用の流通手段が、ハウジングの下部においてハウジング周壁に設けられた孔によって構成され、前記解放されたガス用の排出手段がハウジングの上端壁に配置されると共に圧力低下発生手段を含む気体排出パイプからなり、さらに、前記ハウジングが、気液分離を増大させるために混合物供給手段の反対側に配置されたプレートを備えることを特徴とする、封入体。
【請求項２】
前記ハウジングが、前記ハウジング内部に配置されかつ前記混合物供給手段に連結された供給ラインを備えることを特徴とする、請求項１に記載の封入体。
【請求項３】
前記圧力低下発生手段が、少なくとも１つの側方開口部を前記気体排出パイプ上に備えることを特徴とする、請求項１に記載の封入体。
【請求項４】
前記気体排出パイプの一端が、前記ハウジング内部に配置され、前記少なくとも１つの側方開口部が、前記気体排出パイプの一端部上に配置されることを特徴とする、請求項３に記載の封入体。
【請求項５】
前記圧力低下発生手段が、前記気体排出パイプの断面の縮小部を含むことを特徴とする、請求項１に記載の封入体。
【請求項６】
前記ハウジングが、気体を封入体の区間全体に沿って分配させる、気体排出パイプに連通する解放済み気体ディスパッチャーを備えることを特徴とする、請求項１から５のいずれか一項に記載の封入体。
【請求項７】
前記解放済み気体ディスパッチャーが、気体拡散ノズルを備えた少なくとも１つの放射状アームを備えることを特徴とする、請求項６に記載の封入体。
【請求項８】
前記封入体が、封入体の断面を占める実質的に水平なプレートと、前記プレートを通る中空チューブと、前記プレートの２側面を連通させるようにこのプレート上に設けた孔とを備えることを特徴とする、請求項１に記載の封入体。
【請求項９】
請求項１から８のいずれか一項に記載の封入体を用いる、流体供給原料処理方法。
【発明の詳細な説明】
【技術分野】
【０００１】
本発明は、粒状充填層を含む封入体（又は反応器）、及びこの封入体内の上昇流として流通する気相及び液相の分離又は分配システムを具備する封入体に関する。
【０００２】
本発明は、流体供給原料の処理又は水素化処理、並びに重質原油の接触処理のための封入体に関する。
【０００３】
本発明は、さらに具体的には、一般に封入体内に配置されかつ液相及び気相の分離を可能にするシステム、並びに気液上昇並流を実現するためにこの封入体内の下部にこの気体及び液体を分配する方法に関する。
【背景技術】
【０００４】
固定触媒層を備える封入体系においては、気相及び液相をできるだけ均一に分配することが必要であることは周知である。
【０００５】
封入体における気液接触を最適化し、この封入体の種々の領域を実質的に同一の様式で操作するように、封入体の前部区間（frontal section）全体に沿って、これら２つの相の最も均一かつ一様な分配を可能にすることも必要である。
【０００６】
当該技術では知られているように、この分配は種々の手段によって、特に、垂直筒状体を備えた有孔分配プレートを用いることによって実現することができる。これによって、下記の特許文献１に詳細に記載されているように、気体をプレートの孔に分配し、液体を筒状体（chimney）に分配することが可能になる。
【０００７】
気体及び液体が封入体の底部に配置されたラインに一緒に導入される気液供給部を備えた封入体も知られている。この封入体は、その断面全体に沿って配置されかつ気体および液体を分配させる筒状体分配器も備えている。
【０００８】
このタイプの封入体は、単一の供給ラインを使用することから技術的に興味深いが、かなり大きな欠点を伴う。
【０００９】
実際、気体及び液体は混合物形態で封入体に供給され、この導入により筒状分配器（chimney distributer）の下に存在する気液界面に乱れが引き起こされる。
【００１０】
また、気体は封入体の断面に亘って上手く分散されないために、動作が最適化されず、気柱（gas column）は全体的に一般に封入体の中央で上昇する。これにより分配プレートの下の気液界面に乱れが生じ、プレートの下では気体分配が悪くなる。
【００１１】
また、気体が筒状体に入る可能性があり、気柱の場合には、気体の分配が悪くなり、この気体の大部分がプレートの中央領域に存在することになる。
【先行技術文献】
【特許文献】
【００１２】
【特許文献１】ドイツ特許第１，９３３，８５７号公報
【発明の概要】
【発明が解決しようとする課題】
【００１３】
本発明は、気液界面を乱さない、封入体の区間全体に沿って均一に分配される気相を得ることを可能にする液相気相分離システムを含む粒状充填層（触媒層）を備えた封入体を用いることにより、上記欠点を克服することを目的とする。
【課題を解決するための手段】
【００１４】
従って、本発明は、  少なくとも１つの充填層と封入体底部に液体及び気体の混合物を供給する手段とを備える封入体であって、該封入体が前記混合物の液相及び気相を分離するシステムを備え、該システムが前記充填層と前記混合物供給手段との間に配置され、及び該システムが、脱気された液体用の流通手段と解放されたガス用の排出手段とを含むハウジングを備えており、前記脱気された液体用の流通手段が、ハウジングの下部においてハウジング周壁に設けられた孔によって構成され、前記解放されたガス用の排出手段がハウジングの上端壁に配置されると共に圧力低下発生手段を含む気体排出パイプからなり、さらに、前記ハウジングが、気液分離を増大させるために混合物供給手段の反対側に配置されたプレートを備えることを特徴とする封入体である。
【００１５】
前記ハウジングは、前記ハウジング内部に配置されかつ混合物供給手段に連結された供給ラインを備え得る。
【００１６】
前記ハウジングは、圧力低下発生手段を含む気体排出パイプを備え得る。
【００１７】
前記圧力低下発生手段は、少なくとも１つの側方開口部を前記気体排出パイプ上に備え得る。
【００１８】
前記気体排出パイプの一端は、ハウジング内部に配置され、少なくとも１つの側方開口部は、前記気体排出パイプの一端部上に配置され得る。
【００１９】
前記圧力低下発生手段は、前記気体排出パイプの断面の縮小部（decrease）を含み得る。
【００２０】
前記ハウジングは、気体を封入体の区間全体に沿って分配させる、気体排出パイプに連通する解放済み気体ディスパッチャーを備え得る。
【００２１】
前記ディスパッチャーは、気体拡散ノズルを備えた少なくとも１つの放射状アームを備え得る。
【００２２】
前記封入体は、封入体の断面全体を占める実質的に水平なプレートと、前記プレートを通る中空チューブと、前記プレートの２側面を連通させるようにこのプレート上に設けた孔とを備え得る。
【００２３】
本発明は、流体供給原料の水素化処理のための又は本発明に係る封入体を用いた接触処理のための方法にも関する。
【００２４】
本発明の他の特徴及び利点は、添付図面を参照しながら、非限定的な例として示した以下の説明を読めば明白となろう。
【発明の効果】
【００２５】
本発明は、少なくとも１つの充填層と封入体底部に液体及び気体の混合物を供給する手段とを備える封入体であって、該封入体が前記混合物の液相及び気相を分離するシステムを備え、該システムが前記充填層と前記混合物供給手段との間に配置され、及び該システムが、脱気された液体用の流通手段と解放されたガス用の排出手段とを含むハウジングを備えており、前記脱気された液体用の流通手段が、ハウジングの下部においてハウジング周壁に設けられた孔によって構成され、前記解放されたガス用の排出手段がハウジングの上部に配置され、さらに、前記ハウジングが、気液分離を増大させるために混合物供給手段の反対側に配置されたプレートを備えることを特徴とするもので、本発明によれば、液相気相分離システムを含む充填層（触媒層）を備えた封入体を用いることにより、気液界面を乱さない、封入体の区間全体に沿って均一に分配される気相を得ることが可能であるという効果を奏する。
【図面の簡単な説明】
【００２６】
【図１】本発明に係る相分離システムを備えた封入体を示す軸方向部分断面図である。
【図２】図１の相分離システムの軸方向断面を示す拡大詳細図である。
【図３】本発明に係る相分離システムを備えた封入体の一変形例を示す軸方向部分断面図である。
【図４】図３の封入体に相当する一例に係る気体流速（Ｑgaz）及び液体流速（Ｑliq）に関する、前記分離装置の動作条件を示すグラフである。
【図５】本発明に係る相分離システムの別の変形例を備えた別の封入体を示す軸方向部分断面図である。
【図６】図２の一変形例に係る相分離システムの軸方向断面を示す詳細図である。
【発明を実施するための形態】
【００２７】
つぎに、本発明の実施の形態を、図面を参照して説明するが、本発明はこれらに限定されるものではない。
【００２８】
図１は、全体的に垂直の細長管状形の閉鎖された封入体１０を示し、少なくとも１つの粒状層１２の形成を可能にする製品（図示せず）を供給する手段を封入体１０の上部に備えている。粒状層と呼ばれているものは、寸法が約数ミリメートルである粒子の形状を有しかつ有利には触媒層を形成可能にする触媒活性を有する固体粒子のセットである。
【００２９】
この粒状層は、この封入体の下部において、封入体の底部１６からある距離のところに配置されかつ封入体の周壁１８で延在している横断有孔支持体１４によって境界が定められる。有孔支持体のオープンワークスペース（open-worked space）は、粒子を通過させないが、気体及び液体は全て通過させるようになっている。
【００３０】
上記用語「封入体」は、カラムにも反応器にも関連するものであることは当然ながら明らかである。
【００３１】
同様に、用語「触媒」は、新鮮触媒にも再生触媒にも関連する。
【００３２】
前記封入体は、その底部に、好ましくはその中央領域に、気相及び液相（又は原料）を供給するライン２０を含む。有利には、気相は少なくとも部分的に水素を含むが、液相は本質的に炭化水素を含む。混合物は他の相（例えば、空気又は酸素を含んだ水、空気又は酸素を含んだ１以上の炭化水素）を含むことがある。
【００３３】
封入体に供給された混合物に含まれる相を分離及び分配させるシステム２２は、このようにこの底部上に配置されており、このシステムは、以降の説明では、デカンタと呼ぶ。
【００３４】
図２に示すように、デカンタ２２は、封入体方向に略細長形状の管状ハウジング２４を含み、この管状ハウジングの断面は、好ましくはこの封入体の断面よりも小さく、封入体の底部１６と支持体１４との間の高さ未満である。
【００３５】
このハウジングは、封入体の底部１６に載っている下端壁２８と支持体１４からある距離にある上端壁３０とによって境界が定められた実質的に円形の周壁２６を含む。
【００３６】
周壁は、下部壁２８の近傍に、ハウジングの内部と封入体の底部とを連通を可能にする孔３２を備えている。これらの孔は有利には、ハウジングの周壁全体に沿って円周方向に均一に分配されている。図に示した円形孔に加えて、ハウジングの中心軸線に対して対称的又は非対称的に配置された任意の形状及びレイアウト（例えば、楕円形、正方形、矩形の孔等）の孔があってもよい。
【００３７】
ハウジングの下部壁２８は、封入体の供給ライン２０との密閉連通を可能にし、端部３８が上部壁３０からある距離に配置された実質的に垂直な供給パイプ３６が堅く連結された、円形でハウジングの中心軸線と同軸であることが好ましい孔３４を有する。
【００３８】
場合によっては、図２に示したものとは対照的に、圧力低下を制限するように、ライン２０の断面、孔３４の断面、及びパイプ３６の断面は同一にすることができる。パイプ３６は圧力低下を制限するように同一であり得る。
【００３９】
ハウジングの上部壁３０は、有利には、孔３４のオリフィスと同軸である円形のオリフィス４０を含む。このオリフィスは、排出パイプ４２（入口４４が供給パイプ３６の端部３８からある距離離れてハウジング内部に位置し、出口４６が支持体１４からある距離離れている）との密封連通をもたらす。ハウジング内部に配置された排出パイプの一部は、排出パイプの周壁上に少なくとも１つの側方開口部４８を含み、この開口部は、ここでは入口４４から延在して上部壁３０の前で終端する垂直の細長孔の形態であり、以下の記載で説明するように、その寸法及びレイアウトは気体の圧力低下を発生させるようになっている。
【００４０】
図２に示すように、有利には、ハウジングは気体及び液体の分離を増大させる手段を備える。これらの手段は、排出パイプ４２の入口４４の上に載って好ましくはこの入口を閉鎖する分配プレート（splitter plate）と呼ばれる水平プレート５０を含み、好ましくは円形であるこのプレートの表面積は、パイプ３６の端部３８の断面から封入体の断面全体に亘るようになっている。図に示すように、このプレートは、穿孔することもできるし、格子形状を有することもできるし、あるいは固体とすることもできる。後者の構成では、このプレートの周縁部は円形流通路５２が可能になるように、ハウジングの周壁内部からある距離にある。
【００４１】
運転中、供給ライン２０に送られた気体及び液体の混合物は、供給パイプ３６に入り、分配プレート５０に接触しながらこのパイプの端部３８を通って流出する。この導入の後、混合物の液体は、上に向かって上部壁３０の方向に、液体から解放された気泡Ｇを通路５２に流すのに十分に低い下降速度で、重力により下部壁２８方向に移動する。好ましくは、液体の下降速度は、液体がハウジングから出て行く前に液体を完全にデカンテーションさせるべく０．４〜０．０５ｍ／秒の範囲である。混合物が分配プレートに及ぼす衝撃の作用下では、気泡はさらに一層迅速により大きな割合で混合物から分離することに留意されよう。液相（矢印Ｌ）が液体を主に含みかつ気相が液体から解放された気体を主に含んだ状態で、この混合物の相の分離はこのように起こる。
【００４２】
脱気された液相（すなわち、気体の大部分が解放されている）は、孔３２を通ってハウジング２４を出て、封入体の底部に入る。
【００４３】
気泡Ｇはハウジングの上部の高さに集まり、気液界面５６の境界を定めながら上部壁３０の下に気体クッション５４を形成する。この気体クッションは、特に、排出パイプ４２に細長孔４８が存在していることで実現することができる。
【００４４】
この細長孔の寸法及び数は、気体の圧力低下を発生させるために、当業者によって決定される。また、これらの細長孔は、脱気された液体がこれらの細長孔４８を通過する一方で、パイプ４２内に吸引されないように、十分厚いクッションを形成することができなければならない。
【００４５】
従って、ハウジングに供給された混合物のデカンテーション後、好ましくは分配プレート５０の下に位置する、気体を含まない液体が残り、この液体は、孔３２から封入体の底部に排出され、好ましくはプレート５０の上に位置する、気体クッション５４を形成する気相が細長孔４８から排出され、ハウジングの出口４６に向かって排出パイプ４２を通過する。
【００４６】
ついで、このデカンタによって生成されたこの解放された気体は、気液分配プレートを備える封入体（図３）又は触媒層用の支持格子のみを備える封入体（図５）のいずれかと一緒に使用され得る。
【００４７】
図３では、封入体１０は有孔支持体１４に代わって、触媒層１２用の支持体として働き、この封入体の全断面の上に延在しながら封入体の底部１６からある距離に配置された、実質的に水平な円形状分配プレート６０を備えている。
【００４８】
このプレートは多数の孔を含み、該孔の一部６２は排出パイプ４２からやって来る気体を層１２の上に分配するのに用いられ、これらの孔の別の部分６４は、以下の説明において筒状体（chimney）と呼ばれる垂直の中空チューブを受け取る。これらの筒状体は、封入体の底部に含まれハウジング２４からやって来る脱気された液体７０に浸漬している開放下端６８と、層１２と連通している上部端７２とを含む。
【００４９】
有利には、排出パイプ４２の出口４６とプレートの下面との間の距離は、１〜１００ｍｍ、好ましくは１０〜５０ｍｍであり、この距離は、この下面と筒状体６６の下端との間の距離よりも短い。
【００５０】
従って、排出パイプ４２を出て行く気体は円形状分配プレート６０の下に送られ、気体上部７４は、気体と脱気された液体７０との間の界面７６を形成かつ画定する。この気体上部は、プレートの孔６２によって達成される圧力低下の結果として得られ、この孔の数、配分、及び寸法は、界面７６が気体出口４６の下に位置するように当業者によって決定される。
【００５１】
従って、この出口４６は、常に気体上部７４に配置され、気体は、界面７６を乱すことなく、この気体上部に直接流れ込む。
【００５２】
封入体が作動している間、気体上部７４は孔６２を流れるが、脱気された気体は筒状体６６を通過する。ついで、分配プレート６０全体に沿って均一に分配されたこの気体及びこの液体は、反応触媒層を上昇運動で流れて所望の反応を達成し、ついで、当業者には知られた任意の手段により封入体を出て行く。
【００５３】
実施の例を挙げると、本出願人は、水−空気システムを有する、図３に示した封入体のような封入体を備える装置を２５℃、１ｂａｒ  ａｂｓ（０．１ＭＰａ）で使用した。
【００５４】
使用した封入体は、直径５００ｍｍであり、分配プレート６０は、直径０．９ｍｍの１４個の孔６２を有する直径３５ｍｍ、高さ４００ｍｍの７本の筒状体から構成される。
【００５５】
デカンタ２２は、直径１７０ｍｍ及び高さ３００ｍｍの円筒形ハウジング２４から構成される。分配プレートは固体であり、その直径は１００ｍｍである。分配プレートは、ハウジングの最上部の１００ｍｍ下に位置決めされる〔上部の気体融合（gas coalescence）領域は高さ１００ｍｍになり得る〕。
【００５６】
気液混合物供給ライン２０は、直径４０ｍｍである。排出パイプ４２の直径は、２０〜３６ｍｍ、ここでは２０ｍｍであり、この排出パイプは、１〜５ｍｍ、ここでは１ｍｍの矩形細長孔４８を含む。ハウジングの２０個の孔３２は、下部壁２８から１０ｍｍ離れた所に配置され、その直径は１０ｍｍである。
【００５７】
このような封入体を使用した成績を横座標が液相流速、縦座標が気相流速である図４のグラフに示す。３つの動作ゾーン＜Ａ＞、＜Ｂ＞、及び＜Ｃ＞を画定が可能である。
【００５８】
従って、液体流速が０近傍〜約７Ｎｍ３／時及び気体流速が約３Ｎｍ３／時〜約５．５Ｎｍ３／時の第１ゾーン＜Ａ＞では、液体が排出パイプ４２を通過して出口４６から出て行くことを観察することが可能になる。
【００５９】
液体流速が０近傍〜約７Ｎｍ３／時の範囲にあり、気体流速が約３Ｎｍ３／時〜約５Ｎｍ３／時〜約５．５Ｎｍ３／時の範囲にある第２ゾーン＜Ｂ＞では、封入体は、デカンタを用いて液体と気体とのほぼ完全な分離を可能にし、気相は、パイプ４２のみを通って排出され、液相は、孔３２のみを通って排出される。
【００６０】
第３ゾーン＜Ｃ＞では、液体流速は、０近傍〜約７Ｎｍ３／時の範囲にあり、気体流速は、約５Ｎｍ３／時〜約５．５Ｎｍ３／時の範囲にある。このゾーンでは、気体は孔３２を通過する。これは、界面７６にある種の気泡を発生させることによって封入体の動作を妨げる。
【００６１】
従って、この封入体の動作は、ゾーン＜Ａ＞、好ましくはゾーン＜Ｂ＞に相当する液体流速及び気体流速を得ることが好ましい。
【００６２】
図５に示すように、有孔支持体１４の代わりに触媒層用の支持体として格子８０のみを含む封入体を備えたデカンタを使用する場合、デカンタ２２は、解放済み気体ディスパッチャー８２（又はスパージャー）も備える。このディスパッチャーは、気体排出パイプ４２の出口４６から解放された気体を封入体の区間全体に沿ってほぼ均一に分配することを可能にする。
【００６３】
このディスパッチャーは、パイプ４２から封入体の壁１８方向に延在する実質的に水平な少なくとも１つの中空放射状水平アーム８４を備える。有利には、パイプから角度を成して均一に配置された多数のアーム、例えば、互いに６０°隔たっている６本のアームを備える。このアームは、任意の既知の手段（例えばろう付け又は溶接）によってこのアームの内部をパイプ４２の出口４６と連結させる連結用孔８６を含む。このアームは、各アームに沿って、層１２に対して軸方向に分配された多数のノズル８８も含む。好ましくは、連結部８６の反対にあるアームの自由端は、栓のような任意の手段によって閉鎖される。図５に示すように、２本のアーム８４（一方が他方の延長部を形成する）を形成する少なくとも１つのチューブ９０が使用され、連結用孔８６がチューブの中央領域に設けられる。
【００６４】
格子の下に気体上部が存在することを除いて、この封入体の動作は、図３の封入体の動作と同じである。
【００６５】
従って、デカンタのパイプ４２を通過する解放されたガスは、チューブ９０に入り、各アーム８４を通過し、ノズル８８を通って出て行き、格子８０を流れ、上昇運動により層１２の上に行く。封入体の底部に含まれる脱気された液体７０はまた、格子を流れて、同様に層１２の上に行く。上記のように、気体及び液体は処理及び／又は保管されるために、任意の既知の手段によって封入体上部に集められる。
【００６６】
当然ながら、本発明の範囲から逸脱しなければ、図３のデカンタの代わりに、図５のそのディスパッチャー８２を備えるデカンタ２２を使用することができ、上部気体をより迅速かつ均一に実現するという利点がある。
【００６７】
図６のデカンタ１２２の変形例は、オリフィス１４０が気体排出パイプ１４２（入口１４４がハウジングに入ることなくこのオリフィスに連結されている）との密封連通を可能にするという点及び排出パイプの出口１４６が気体通過制限手段１４８を有しているという点で、図２のデカンタとは異なる。この手段は出口１４６の断面の縮小部から構成され、この縮小は任意の手段（例えば、この出口に連結され、小径の孔１５２を含む中央ワッシャ１５０、格子、多数の孔を含むプレート等）を用いて得られる。
【００６８】
従って、この断面の縮小部は、このように気体クッション５４を上部壁３０の下に形成することによって、液体から解放された気体の圧力低下を可能にする。
【００６９】
このデカンタの変形例は、図１、図３の封入体、又は図５の封入体と一緒に使用することもできるが、後者の場合、ディスパッチャー８２を備えている。
【００７０】
本発明は、限定するものではないが、より具体的には、流体供給原料処理方法（fluid feed hydrotreating）、又は本発明の封入体を用いた蒸留物接触処理方法に適用される。
【００７１】
本発明は、上記例に限定されるものではなく、どのような変形例も等価物も包含する。
【００７２】
特に、封入体の製造を簡素化するという理由から、ハウジング２４は、下部壁２８を備えてもよく、このハウジングの閉鎖は、壁２６の下部を底部１６に組み付けすることによって行うことができる。これはろう付け又は溶接によって行うことができる。
【００７３】
同様に、細長孔４８を含むパイプ４２を備えるデカンタは、液体に気体を同伴（entrainment）することなく、幅広い液体流速及び気体流速に亘って動作を可能にするが、制限手段１４８を含むパイプ１４２を備えるデカンタは、より良く気液を分離するということが実験的に判明した。
【００７４】
従って、円形状分配プレート６０を用いる場合、気体に液体を同伴することは影響を及ぼさず、他方で液体に気体が同伴することを阻止するので、デカンタは好ましくは圧力低下用の細長孔を含むパイプと一緒に用いられる。
【符号の説明】
【００７５】
１０：封入体
１２：粒状層（触媒層）
１４：横断有孔支持体
１６：封入体の底部
１８：封入体の周壁
２０：気液混合物供給ライン
２２：デカンタ
２４：略細長形状の管状ハウジング
２６：円形の周壁
２８：下端壁
３０：上端壁
３２：連通孔
３４：孔
３６：供給パイプ
３８：端部
４０：円形のオリフィス
４２：排出パイプ
４４：入口
４６：出口
４８：側方開口部（細長孔）
５０：分配プレート（水平プレート）
５２：円形流通路
５４：気体クッション
５６：気液界面
Ｇ：気泡
Ｌ：液相
６０：円形状分配プレート
６２：一部の孔
６４：別の孔
６６：筒状体
６８：開放下端
７０：脱気された液体
７２：上部端
７４：気体上部
７６：界面
＜Ａ＞：第１動作ゾーン
＜Ｂ＞：第２動作ゾーン
＜Ｃ＞：第３動作ゾーン
８２：解放済み気体ディスパッチャー（又はスパージャー）
８４：中空放射状水平アーム
８６：連結用孔
８８：ノズル
９０：チューブ
１２２：デカンタ
１４０：オリフィス
１４２：気体排出パイプ
１４４：排出パイプの入口
１４６：排出パイプの出口
１４８：気体通過制限手段
１５０：中央ワッシャ
１５２：小径の孔
【図１】
0005389019.tif 000002
【図２】
0005389019.tif 000003
【図３】
0005389019.tif 000004
【図４】
0005389019.tif 000005
【図５】
0005389019.tif 000006
【図６】
0005389019.tif 000007